(57)【要約】【課題】温水を使用し、使用者にとって安全性の高いドラム式洗濯機を提供すること。【解決手段】水槽４２内の洗濯水を、循環ポンプ６７により水槽４２の前面側内方に設けた噴出口７０から回転ドラム４３内に噴射せしめて循環させる水循環系５６と、水槽４２の底部に配設した洗濯水を加熱する温水ヒータ７２と、水槽４２内の洗濯水温度を検知する温度検知手段７３と、洗濯機筺体４１前面下部内方に設けられ、外方から取り外し可能のリントフィルタ６５と、洗い、すすぎ、脱水等の各行程を制御する制御手段８２とを備え、制御手段８２は、洗い行程において、所定速度以上で水位が低下した場合は、行程運転を中止して、表示手段に異常表示を行なうことにより、使用者が万が一リントフィルタを完全に外して、洗濯水が多量に飛び出してきた時は、異常状態であることを適確に使用者に知らしめることができる。【選択図】図３
2015083247.tif 000002
【特許請求の範囲】
【請求項１】
有底円筒状に形成された回転ドラムと、前記回転ドラムを回転自在に内包する水槽と、前記回転ドラムを回転駆動するモータと、前記水槽内に給水する給水手段と、前記水槽内の水位を検知する水位検知手段と、前記水槽内の洗濯水を、循環ポンプにより前記水槽に設けた噴出口から前記回転ドラム内に噴射せしめて循環させる水循環系の経路と、前記水槽の底部に配設した洗濯水を加熱する温水ヒータと、前記水槽内の洗濯水温度を検知する温度検知手段と、入力設定手段と表示手段から成る操作表示手段と、洗濯機筺体外方から取り外し可能かつ前記循環ポンプ駆動時に洗濯水が通過するリントフィルタと、前記モータ、給水手段、循環ポンプ、温水ヒータ等を制御して、洗い、すすぎ、脱水等の各行程を制御する制御手段とを備え、前記制御手段は、洗い行程において、所定速度以上で水位が低下した場合は、行程運転を中止して、表示手段に異常表示を行なうドラム式洗濯機。
【請求項２】
制御手段は、洗い行程において、前記温水ヒータに通電され、前記循環ポンプが駆動中に、前記温度検知手段により検知する洗濯水温度が所定温度以上になった場合、前記循環ポンプの駆動のみを停止して、所定の行程運転を行なう請求項１記載のドラム式洗濯機。
【発明の詳細な説明】
【技術分野】
【０００１】
本発明は、回転ドラム内に収容した洗濯物を洗濯するドラム式洗濯機に関するものである。
【背景技術】
【０００２】
従来、この種のドラム式洗濯機は、加熱された洗濯水を洗濯物に吐出することにより、洗浄力を高めていた。（例えば、特許文献１参照）。
【０００３】
図４は、前記特許文献１に記載された従来のドラム式洗濯機の縦断面図を示すものである。
【０００４】
図４において、筺体１内には、有底円筒状の外槽６が、サスペンション構造（図示せず）によって筺体１の正面側から背面側に向かって下向きに傾斜した状態で支持されている。外槽６は、外槽本体２と外槽カバー３とで構成され、その接続部分で第１のパッキング部材４を介して水密的に接続固定されている。外槽６は、有底円筒形に形成された回転ドラム５を回転自在に内包している。筺体１前部には、開閉扉８が設けられている。筺体１上部後方には、洗濯水を供給するための第一の給水弁９、第二の給水弁１１を設けている。
【０００５】
回転ドラム５は、外槽６の外槽本体底部２ｃの外方に取り付けられた駆動モータ７によって回転駆動され、その回転速度や回転方向は可変である。外槽６内底部には、シーズヒータ等からなる温水ヒータ３６を備え、洗濯水を加熱する。
【０００６】
洗濯行程にて加熱された洗濯水は、回転ドラム５の回転で発生する水流により、外槽６の内底面に形成された取水口２０から入り、第１の循環水路２２、および、この第１の循環水路２２と連通する第２の循環水路２６、第３の循環水路２７を通り、吐出口３２から回転ドラム５内の洗濯物へ吐出される。
【先行技術文献】
【特許文献】
【０００７】
【特許文献１】特開２００７−１１７１３５号公報
【発明の概要】
【発明が解決しようとする課題】
【０００８】
しかしながら、前記従来の構成では、洗濯水が高温に、例えば約５５℃以上に加熱された状態で循環して回転ドラム内に吐出中に、使用者が、万が一開閉扉を開けると、高温の循環水に接触して火傷をする恐れがあるという、安全面において課題があった。
【０００９】
本発明は、前記従来の課題を解決するもので、使用者に対する火傷を防止した高い安全性を有するドラム式洗濯機を提供することを目的とする。
【課題を解決するための手段】
【００１０】
本発明は、前記従来の課題を解決するもので、有底円筒状に形成された回転ドラムと、前記回転ドラムを回転自在に内包する水槽と、前記回転ドラムを回転駆動するモータと、前記水槽内に給水する給水手段と、前記水槽内の水位を検知する水位検知手段と、前記水槽内の洗濯水を、循環ポンプにより前記水槽に設けた噴出口から前記回転ドラム内に噴射せしめて循環させる水循環系の経路と、前記水槽の底部に配設した洗濯水を加熱する温水
ヒータと、前記水槽内の洗濯水温度を検知する温度検知手段と、入力設定手段と表示手段から成る操作表示手段と、洗濯機筺体外方から取り外し可能かつ前記循環ポンプ駆動時に洗濯水が通過するリントフィルタと、前記モータ、給水手段、循環ポンプ、温水ヒータ等を制御して、洗い、すすぎ、脱水等の各行程を制御する制御手段とを備え、前記制御手段は、洗い行程において、所定速度以上で水位が低下した場合は、行程運転を中止して、表示手段に異常表示を行なう構成としたものである。これによって、使用者が万が一リントフィルタを完全に外して、洗濯水が多量に飛び出してきた時は、異常状態であることを適確に使用者に知らしめることができる。
【発明の効果】
【００１１】
本発明のドラム式洗濯機は、洗濯水が所定温度以上に加熱された状態では、循環ポンプの駆動を停止するので、高い安全性を実現することができる。
【図面の簡単な説明】
【００１２】
【図１】本発明の実施の形態におけるドラム式洗濯機の縦断面図
【図２】同ドラム式洗濯機のブロック回路図
【図３】同ドラム式洗濯機の制御フローチャート
【図４】従来のドラム式洗濯機の縦断面図
【発明を実施するための形態】
【００１３】
第１の発明は、有底円筒状に形成された回転ドラムと、前記回転ドラムを回転自在に内包する水槽と、前記回転ドラムを回転駆動するモータと、前記水槽内に給水する給水手段と、前記水槽内の水位を検知する水位検知手段と、前記水槽内の洗濯水を、循環ポンプにより前記水槽に設けた噴出口から前記回転ドラム内に噴射せしめて循環させる水循環系の経路と、前記水槽の底部に配設した洗濯水を加熱する温水ヒータと、前記水槽内の洗濯水温度を検知する温度検知手段と、入力設定手段と表示手段から成る操作表示手段と、洗濯機筺体外方から取り外し可能かつ前記循環ポンプ駆動時に洗濯水が通過するリントフィルタと、前記モータ、給水手段、循環ポンプ、温水ヒータ等を制御して、洗い、すすぎ、脱水等の各行程を制御する制御手段とを備え、前記制御手段は、洗い行程において、所定速度以上で水位が低下した場合は、行程運転を中止して、表示手段に異常表示を行なうようにしたことにより、使用者が万が一リントフィルタを完全に外して、洗濯水が多量に飛び出してきた時は、異常状態であることを適確に使用者に知らしめることができる。
【００１４】
第２の発明は、特に、第１の発明の制御手段は、洗い行程において、前記温水ヒータに通電され、前記循環ポンプが駆動中に、前記温度検知手段により検知する洗濯水温度が所定温度以上になった場合、前記循環ポンプの駆動のみを停止して、所定の行程運転を行なうよう構成したことにより、洗濯水が所定温度以上に加熱された状態では、循環ポンプの駆動を停止するので、使用者が万が一リントフィルタを緩めたり外したりしても、少量の水がリントフィルタ近傍から流出するだけで、使用者が火傷をするリスクが低く、高い安全性を実現することができる。
【００１５】
以下、発明の実施の形態について、図面を参照しながら説明する。また、この実施の形態によって本発明が限定されるものではない。
【００１６】
（実施の形態１）
図１は、本発明の実施の形態におけるドラム式洗濯機の縦断面図を示すものである。
【００１７】
洗濯機筺体４１の内部に揺動自在に水槽４２が配設され、水槽４２内には、回転ドラム４３が回転自在に配設されている。回転ドラム４３の回転中心に水平方向に回転軸（回転中心軸）４４が設けられ、この回転軸４４に、水槽４２の背面側近傍に取り付けたモータ
４５が、ベルト４６を介して連結され、モータ４５により回転ドラム４３が正転、逆転方向に回転駆動される。回転ドラム４３の内壁面には、洗濯物を撹拌するための数個の突起板４７が設けられている。また、回転ドラム４３の外周部には、多数の通水孔４８が全面に設けられている。
【００１８】
上記の、水槽４２、回転ドラム４３、モータ４５等により、振動系の水槽ユニット４９が構成されており、この水槽ユニット４９は、洗濯機筺体４１上部から複数のばね体５０により、また、洗濯機筺体４１下部から複数の防振ダンパー５１により防振支持されている。
【００１９】
また、水槽４２の正面側で洗濯機筺体４１に設けた開口部を、蓋体５２により開閉自在に覆い、この蓋体５２を開くことにより、衣類出入口５３を通して回転ドラム４３内に洗濯物を出し入れできるようにしている。
【００２０】
また、このドラム式洗濯機は、モード設定や制御プログラムに従い、モータ４５、給水系５４、排水系５５、水循環系５６を自動制御して、少なくとも洗い行程、すすぎ行程、脱水行程を行う機能を有している。
【００２１】
給水系５４は、第１の電磁弁５７（第１の給水手段）、あるいは第２の電磁弁５８（第２の給水手段）の開閉によって、第１の給水ホース５９、あるいは第２の給水ホース６０を通り、洗剤や柔軟仕上げ剤を収容し外部から引き出し自在の引き出し部（図示せず）を内部に収納する洗剤収容部６１を介して、給水経路６２から水槽４２内に適時に給水できる。
【００２２】
排水系５５は、排水ポンプ６３の駆動によって、洗い行程終了時、すすぎ行程終了時など必要なときに、水槽４２の底部に接続された排水管６４を介し、フィルタケース８８に内設され、フィルタつまみ８９により洗濯機筺体４１の前面下部外方から取り外し可能の糸屑類を捕集する役目のリントフィルタ６５を通過した後、排水ポンプ６３を通って、機内から機外の上方まで配設された排水ホース６６から排水できるようになっている。
【００２３】
水循環系５６は、予洗い行程時、洗い行程時、すすぎ行程時など必要に応じ、水槽４２内の水を循環させて、洗剤の早期溶け込みや偏りの防止、洗いやすすぎの機能向上を図る。
【００２４】
この水循環系５６は、循環ポンプ６７を駆動させることで、水槽４２内の洗濯水を、排水管６４を介し、フィルタケース８８内を通過させ、循環ポンプ６７への流入側経路６８、循環ポンプ６７および循環ポンプ６７からの吐出側経路６９を介して、水槽４２前面側内方の噴出口７０より実線矢印で示す循環水として回転ドラム４３内に吐出することを繰り返す。なお、噴出口７０は、円周方向に複数設けられ、循環水は円周の全方向から吐出されるようになっている。
【００２５】
また、水槽４２の底部に形成した凹部７１には、洗濯水を加熱するシーズヒータ等からなる温水ヒータ（加熱手段）７２を水平方向に備えており、この温水ヒータ７２により加熱した水槽４２内の洗濯水を、前述のように、回転ドラム４３内に吐出することにより、洗濯水を洗濯物にふりかけて、この洗濯水を、また循環させる。これにより加熱された洗濯水が洗濯物にふりかけられる為、洗濯水の分子活動が高まり、また洗剤の活性化が高まるので、洗浄力を高め、かつ洗いムラを少なくする事ができる。また、温水ヒータ７２近傍には、水温を検知するサーミスタ等の温度検知手段７３が設けられている。
【００２６】
また、外槽４２の底部外周後方の側壁には、排水管６４と連通してエアートラップ７４
を構成し、空気管７５にて、洗濯機筺体４１の上部内方に設けられ、圧力センサなどで構成された水位検知手段７６に連接しており、外槽４２内部に給水された洗濯水の水圧により複数段の水位を検知する事が出来る。
【００２７】
また、洗濯機筺体４１の上部内方に設けられた洗剤収納部６１の後面上部と水槽４２上部とを、連結ホース７７で連結しており、行程運転動作により加圧される水槽４２内の空気を抜く役目をしている。
【００２８】
また、水槽４２の上面後部には、水槽ユニット４９の振動を検知する加速度センサの振動検知手段７８が配設されており、１方向の加速度でなく前後（Ｘ軸方向）、左右（Ｙ軸方向）、上下（Ｚ軸方向）の３軸方向の振動を検出し、運転を制御する。これは、実際の水槽ユニット４９の振動は、必ずしも一方向に限定できないので、多軸の加速度センサを用いて、精度高く検知する為である。
【００２９】
運転コース等のモードや各種機能の選択は、洗濯機筺体４１の前面上部に設けられた操作表示手段７９から使用者が入力設定手段８０へ入力して行い、洗濯機筺体４１の上部内方に配設された制御装置８１が、その入力情報を基に操作パネル７９上の表示手段９６（図２参照）で表示して使用者に知らせる。
【００３０】
図２は、本発明の実施の形態におけるドラム式洗濯機のブロック回路図である。
【００３１】
図２において、制御装置８１の制御手段８２は、マイクロコンピュータなどで構成し、商用電源８３から、電源スイッチ８４のＯＮにより電力が供給されて動作を始め、水位検知手段７６、温度検知手段７３、布量検知手段８５、振動検知手段７８の出力を入力し、入力設定手段８０にて使用者の入力により設定された内容に基づいて、表示手段９６に設定内容を表示するとともに、双方向サイリスタ、リレーなどで構成した負荷駆動手段８６を介して、モータ４５、温水ヒータ７２、第１の電磁弁５７、第２の電磁弁５８、排水ポンプ６３、循環ポンプ６７などの動作を制御し、洗い、すすぎ、脱水の各行程を制御する。なお、動作になんらかの異常があった場合も、表示手段９６にて異常であることを表示し、報知手段８７により報知する。また、入力設定手段８０と表示手段９６とで、操作表示手段７９を構成している。
【００３２】
以上のように構成されたドラム式洗濯機について、以下その動作、作用を説明する。
【００３３】
図３は、本発明の実施の形態におけるドラム式洗濯機の標準的な運転コースであるＣｏｔｔｏｎコースの制御フローチャートで、洗い行程を主体的に記載している。
【００３４】
図３において、まず、使用者が蓋体５２を開け、回転ドラム４３に衣類を投入してスタートし、Ｃｏｔｔｏｎコースが選択されスタートする（ステップＳ１のＹＥＳ）と、布量検知手段８５にて投入された布量を検知（ステップＳ２）し、ステップＳ３で、制御手段８２にて、布量に応じた水位と、その水位の水量に対する洗剤量が、表示手段９６に表示される。
【００３５】
ステップＳ４にて、使用者が表示された洗剤量を洗剤収納部６１の引き出し部に投入すると、第１の電磁弁５７が動作して給水が始まり、洗剤収納部６１の洗剤とともに水道水が水槽４２内に給水される（ステップＳ５）。ステップＳ５の給水行程では、回転ドラム４３内の洗濯物のバランスを良くし、洗剤の溶解を促進するために、回転ドラム４３が低速で回転する泡洗浄が行なわれた（ステップＳ６）後に、洗濯物に浸透して低下した水位を補うための給水（ステップＳ７）が行なわれる。なお、水位は常に水位検知手段７６にて検知（ステップＳ８）し、監視されている。所定量の給水が終わると、ステップＳ９に
て給水撹拌Ａが始まる。
【００３６】
給水撹拌Ａでは、モータ４５が駆動して、回転ドラム４３が低速回転し、洗濯物を持ち上げ、自重落下させるたたき洗いによる撹拌が行なわれる。同時に、循環ポンプ６７が１分間駆動し、水槽４２内の洗濯水が循環水として水槽４２前部の噴出口７０より回転ドラム４３内の洗濯物に向かって噴射されて、洗剤の溶解が促進され（ステップＳ１０）、次に循環ポンプ６７が１分間停止すると、第２の電磁弁５８が開いて所定の水位まで給水される（ステップＳ１１）。給水中に循環ポンプ６７を停止させるのは、水槽４２内の水位を正しく検知するためである。なお、水位は常に水位検知手段７６にて検知（ステップＳ１２）し、監視されている。この各１分間を繰り返して、所定時間が経過し（ステップＳ１３）、衣類の汚れがある程度落とされると、ステップＳ１４の給水撹拌Ｂへ移る。
【００３７】
給水撹拌Ｂでは、モータ４５が駆動して、給水撹拌Ａよりも長い４分間回転ドラム４３が回転し、洗濯物が撹拌される。同時に、第２の電磁弁５８が開いて、所定水位まで給水されるが、この時、循環ポンプ６７は停止している（ステップＳ１５）。同時に、ステップＳ１６で検知する水位が、所定の水位ランクに到達すると（ステップＳ１７）、温水ヒータ７２がＯＮして（ステップＳ１８）、洗濯水の加熱が始まる。この加熱は、設定温度になると停止し、温度が低下するとまた加熱されるということを繰り返し、洗い行程が終了するまで行なわれる。次に、ステップＳ１９の給水撹拌Ｃへ移る。
【００３８】
給水撹拌Ｃでは、給水撹拌Ｂと同様に、回転ドラム４３が回転し、洗濯物が撹拌される。同時に、循環ポンプ６７が駆動し、水槽４２内の洗濯水が循環水として水槽４２前部の噴出口７０より回転ドラム４３内に噴射される（ステップＳ２０）。この時、洗濯水は加熱された状態となっているため、回転ドラム４３内に噴射される洗濯水により、洗濯物に付着した汚れが浮きあがり易くなるとともに、洗濯水の分子活動が高まり、また洗剤の活性化が高まるので、洗浄力を高め、かつ、洗いむらを少なくすることができる。
【００３９】
なお、洗濯水の温度は温度検知手段７３により常に検知し監視されており、所定温度（例えば５５℃）以上になると（ステップＳ２１のＮＯ）、循環ポンプ６７のみ停止する（ステップＳ２２）。これは、洗濯機筺体４１の前面下部外方からリントフィルタ６５を取り外すことはいつでも可能であり、循環ポンプ６７が駆動中に、使用者が万が一、フィルタつまみ８９によりリントフィルタ６５を緩めたり外したりすると、循環ポンプ６７の回転スピードにより、循環水が勢いよくフィルタケース８８から飛び出してきて使用者に掛かり、火傷をする恐れがあるためである。
【００４０】
そして、循環ポンプ６７が停止していても、４分間の洗濯物撹拌が終わる（ステップＳ２３）と、あるいは、洗濯水温度が所定温度以下であり（ステップＳ２１のＹＥＳ）、４分間の洗濯物撹拌が終わる（ステップＳ２４）と、所定時間が経過していないと（ステップＳ２５のＮＯ）、給水撹拌Ｂを行ない、この４分間の給水撹拌Ｂと、４分間の給水撹拌Ｃを繰り返して、所定時間経過すると（ステップＳ２５のＹＥＳ）、温水ヒータ７２もＯＦＦし（ステップＳ２６）、洗い行程が終わる。
【００４１】
なお、ステップＳ８、ステップＳ１２、ステップＳ１６と同様に、水位は常に水位検知手段７６にて検知（ステップＳ２７）し監視され、制御手段８２に記憶されており（ステップＳ２８）、使用者が万が一、フィルタつまみ８９によりリントフィルタを緩めたり外したりすると、洗濯水が飛び出し、水位が急激に低下する。この水位の低下が所定速度以上であり、異常と判定された場合（ステップＳ２９のＹＥＳ）は、運転を中止し、表示手段９６にて異常であることを表示し、報知手段８７により報知する（ステップＳ３０）。
【００４２】
次行程の、すすぎ（１）行程では、排水ポンプ６３を駆動させて、水槽４２内の水を排
水した後、中間脱水が行なわれ、洗濯物に遠心力を与えることにより、水分を洗濯物から分離することで行ったのち、給水にて、洗いの水位まで給水し、モータ４５が駆動し、洗濯物から洗剤液を出すためのすすぎ撹拌が開始される（ステップＳ３１）。
【００４３】
すすぎ（２）行程、つまり最終すすぎ行程では、すすぎ（１）と同様に排水と中間脱水が行なわれ、それが終わった後に、すすぎ撹拌が開始される（ステップＳ３２）。
【００４４】
ステップＳ３３の脱水行程では、すすぎ終了後、排水ポンプ６３を駆動させて、水槽４２内の水を排水した後、モータ４５を駆動させて、回転ドラム４３を高速回転させ、洗濯物に遠心力を与えることにより、水分を洗濯物から分離することを所定時間行ない、コースが終了する。
【００４５】
以上のように、本実施の形態においては、洗濯水が所定温度以上に加熱された状態では、循環ポンプの駆動を停止するので、使用者が万が一リントフィルタを緩めたり外したりしても、火傷をすることは無く、高い安全性を実現することができる。
【００４６】
また、所定速度以上で水位が低下した場合は、リントフィルタは外されたと判定して、行程運転を中止し、異常表示と異常報知を行なうので、使用者に異常状態であることを適確に知らしめることができる。
【産業上の利用可能性】
【００４７】
以上のように、本発明にかかるドラム式洗濯機は、洗濯水温度を検知して制御することにより、安全性を高めることが可能となるので、温水ヒータや循環ポンプを有する他の洗濯機等の用途に適用できる。
【符号の説明】
【００４８】
４１  洗濯機筺体
４２  水槽
４３  回転ドラム
４５  モータ
５４  給水系（給水手段）
５６  水循環系
６５  リントフィルタ
６７  循環ポンプ
７０  噴出口
７２  温水ヒータ
７３  温度検知手段
７６  水位検知手段
７９  操作表示手段
８０  入力設定手段
８２  制御手段
８５  表示手段
８７  報知手段
【図１】
2015083247.tif 000003
【図２】
2015083247.tif 000004
【図３】
2015083247.tif 000005
【図４】
2015083247.tif 000006